(57)【特許請求の範囲】
【請求項１】
プラズマ発生部における一定口径の噴射口を被エッチング物の所定の凸部に対向させ、活性種ガスを上記噴射口から上記凸部に噴射してエッチングすることで、上記凸部を平坦化するプラズマエッチング方法において、
上記噴射口と上記凸部との距離を変えることで、上記凸部の大きさに対応したエッチング領域を確保し、
上記噴射口から噴射される活性種ガスの周囲に、水素ガスを供給する、
ことを特徴とするプラズマエッチング方法。
【発明の詳細な説明】
【０００１】
【発明の属する技術分野】
この発明は、被エッチング物の表面の凸部分を局所的にエッチングするプラズマエッチング方法及びその装置に関するものである。
【０００２】
【従来の技術】
シリコンウエハなどの被エッチング物の表面をエッチングする技術として、被エッチング物をプラズマ励起した活性種ガス中にさらして、その表面全体を研削，研磨する技術や、マスクによって保護された部分以外を活性種ガスでエッチングして回路パターンを形成する技術が数多く考案されている。
【０００３】
近年では、被エッチング物の表面全体をエッチングする技術に替えて、シリコンウエハやＳＯＩ（シリコン・オン・インシュレータ）などの被エッチング物の表面上にある凸部に対して、局所的なエッチングを行い、被エッチング物を薄くしたり（シンニング）、表面を平坦化して、ＴＴＶ（Ｔｏｔａｌ  Ｔｈｉｃｋｎｅｓｓ  Ｖａｒｉａｔｉｏｎ）やＬＴＶ（Ｌｏｃａｌ  Ｔｈｉｃｋｎｅｓｓ  Ｖａｒｉａｔｉｏｎ）といった形状変動を改善する技術が考案されている（例えば、特開平６−５５７１号公報記載の技術）。
【０００４】
図１４は、このような従来の技術の原理を示す概略図である。
図１４において、符号１００がプラズマ発生部であり、プラズマ発生部１００で発生したプラズマ中の活性種ガスＧを、ノズル１０１の開口１０２から被エッチング物としてのウエハ１１０の表面に噴射する。
ウエハ１１０はステージ１２０上に載置固定されており、ステージ１２０を水平方向に移動させることで、ウエハ１１０の凸部１１１を開口１０２の真下に導く。
これにより、活性種ガスＧをノズル１０１から凸部１１１に噴射し、凸部１１１を局所的にエッチングすることで、ウエハ１１０の表面を平坦化する。
【０００５】
【発明が解決しようとする課題】
しかし、上記した従来の技術では、次のような問題があった。
ウエハ１１０上の凸部１１１の大きさは様々であり、例えば、８インチシリコンウエハでは、中央付近が高く周辺部が低い一つの大きな山型になっているものや、逆に、周辺部が高く中央付近が低くなっているすり鉢型のものや、裾野の大きさが直径数ｍｍ程度の小さな凹凸が多数存在するものや、さらに、それらが重畳し又は混在した状態のものがある。このように、ウエハ１１０上の凸部１１１の大きさは一つでなく、多種多様である。
【０００６】
ところで、活性種ガスＧがノズル１０１から噴射されることから、ノズル１０１の開口１０２の口径Ｄとエッチングされる領域の径とは同程度の大きさであり、その領域部分が活性種ガスＧによって均一にエッチングされる。
このため、大きさが異なる多数の凸部１１１を有したウエハ１１０をエッチングする場合には、図１５に示すように、開口１０２の口径Ｄを最小の凸部１１１ａの径に合わせて設定しておかなければならない。開口１０２の口径Ｄを大きな凸部１１１ｂの径に合わせて設定しておくと、小さな凸部１１１ａをエッチングする際に、周辺の凹部１１２までエッチングしてしまうからである。
しかしながら、このように開口１０２の口径Ｄを最小の凸部１１１ａの径に合わせた技術では、大きな凸部１１１ｂをエッチングする際に、数回〜数１０回の処理が必要となり、平坦化処理作業に長時間を要することとなる。
【０００７】
したがって、上記従来の技術を用いて平坦化処理を短時間に行うには、図１６に示すように、各処理室Ａ，Ｂに、口径Ｄの大きさが異なるプラズマ発生部１００−１，１００−２を設け、ウエハ１１０をプラズマ発生部１００−１，１００−２で順にエッチングしなければならない。
例えば、ノズル１０１の口径Ｄが３０ｍｍのプラズマ発生部１００−１を備えた処理室Ａと、ノズル１０１の口径Ｄが７ｍｍのプラズマ発生部１００−２を備えた処理室Ｂとを構築し、ウエハ１１０をまず処理室Ａに供給して、径が３０ｍｍ以上の大きな凸部１１１ｂをプラズマ発生部１００−１でエッチングした後、そのウエハ１１０を処理室Ｂへ搬送して、３０ｍｍより小さい径の凸部１１１ａをプラズマ発生部１００−２でエッチングする。
しかし、このような技術では、確かに平坦化処理時間が短縮されるが、プラズマ発生部１００−１，１００−２を備えた二つの処理室Ａ，Ｂが必要となり、設備コストが高くつくこととなる。  さらに、ウエハ１１０を処理室Ａから処理室Ｂに搬送しなければならず、その分処理時間が長くなる。
【０００８】
この発明は上述した課題を解決するためになされたもので、プラズマ発生部における活性種ガスの噴射口と被エッチング物の表面との距離を変化させることができるようにして、平坦化処理作業時間の短縮化と設備コストの低減化とを図ったプラズマエッチング方法及びその装置を提供することを目的としている。
【０００９】
【課題を解決するための手段】
上記課題を解決するために、この発明は、プラズマ発生部における一定口径の噴射口を被エッチング物の所定の凸部に対向させ、活性種ガスを上記噴射口から上記凸部に噴射してエッチングすることで、上記凸部を平坦化するプラズマエッチング方法において、上記噴射口と上記凸部との距離を変えることで、上記凸部の大きさに対応したエッチング領域を確保し、上記噴射口から噴射される活性種ガスの周囲に、水素ガスを供給する構成とした。
かる構成により、プラズマ発生部における一定口径の噴射口から活性種ガスを凸部に噴射してエッチングすることで、凸部を平坦化することができる。この際、大きな凸部の場合には、噴射口と凸部との距離を大きくし、また、小さな凸部の場合には、噴射口と凸部との距離を小さくして、大きな及び小さな凸部に対応したエッチング領域を確保することで、これらの凸部を平坦化することができる。しかも、凸部の外側に広がった活性種ガスが水素と反応するので、凸部以外のエッチングが防止される。
【００１７】
【発明の実施の形態】
以下、この発明の実施の形態について図面を参照して説明する。
（第１の実施形態）
図１は、この発明の第１の実施形態に係るプラズマエッチング装置の構成図である。
このプラズマエッチング装置は、処理室である真空容器１の上部に取り付けられたプラズマ発生器２（プラズマ発生部）と、真空容器１内部に設けられたＸ−Ｙ駆動機構３と、真空容器１の下側に設けられたＺ駆動機構４（距離可変部）と、制御器５（第１及び第２制御部）とを具備している。
【００１８】
プラズマ発生器２は、導管２０と、供給管２１を通じて導管２０に供給するガスを収納したボンベ２２−１，２２−２，２２−３と、導管２０の外側に取り付けられたマイクロ波発振器２３とを有している。
具体的には、導管２０が、真空容器１の上部に固定されており、その口径Ｄの噴射口２０ａをステージ３０側に向けている。そして、ボンベ２２−１，２２−２，２２−３には、ＳＦ６（六ふっ化硫黄），Ｏ２（酸素），Ａｒ（アルゴン）の各ガスが収納されている。また、マイクロ波発振器２３は、マグネトロンなどで形成されており、マイクロ波を導管２０内のプラズマ領域に向けて所定のパワーで照射することができる。
これにより、所定の組成比のＳＦ６とＯ２とＡｒとの混合ガスを導管２０内に供給し、マイクロ波発振器２３によって、所定パワーのマイクロ波を導管２０内のプラズマ発生領域に照射すると、活性種ガスであるＦガスＧを含んだプラズマが発生し、ＦガスＧが下流に流れる。すなわち、導管２０は、ＦガスＧを噴射口２０ａから被エッチング物であるウエハ１１０の表面に向けて噴射し、ウエハ１１０をエッチングする。
このような導管２０の外側には、排気管２４が取り付けられており、ＦガスＧのエッチングで生じた不要なエッチング生成物を、真空ポンプ２４ａによって真空容器１の外部に排出するようになっている。
【００１９】
また、真空容器１の外側には、真空容器１内に供給する水素ガスが収納されたボンベ２２−４が設けられており、真空容器１内を水素ガスの雰囲気にするようになっている。
【００２０】
Ｘ−Ｙ駆動機構３は、ステージ３０を図示しないサーボモータでＸ−Ｙ方向（図１の左右方向及び図１の紙面に垂直な方向）に移動させることができる周知の機構である。
また、Ｚ駆動機構４は、Ｘ−Ｙ駆動機構３をＺ方向（図１の上下方向）に移動させて、導管２０の噴射口２０ａとウエハ１１０との間の距離を変化させることができる周知の移動機構であり、直線導入機４０とモータ４２とを有している。
具体的には、直線導入機４０が真空容器１の下面に固着された支持部４１で固定され、その軸４０ａの上部がＸ−Ｙ駆動機構３に連結されている。そして、このような直線導入機４０に、制御器５によって制御されるモータ４２の回転軸４２ａが連結されている。
これにより、モータ４２を駆動して、回転軸４２ａを一方向に回転させると、回転軸４２ａに連結された直線導入機４０が回転軸４２ａの回転動作を軸４０ａの上昇動作に変換する。このとき、軸４０ａの上部がＸ−Ｙ駆動機構３に連結されているので、Ｘ−Ｙ駆動機構３０が持ち上げられ、ステージ３０がこのＸ−Ｙ駆動機構３と一体に上昇して、ウエハ１１０が噴射口２０ａに近づく。また、回転軸４２ａを逆方向に回転させることにより、ステージ３０が下降し、ウエハ１１０が噴射口２０ａから離れる。
なお、直線導入機４０の軸４０ａの昇降動時に発塵が生じた場合には、真空容器１に取り付けられている真空ポンプ１０によって外部に排出されるようになっている。
【００２１】
制御器５は、上記したＸ−Ｙ駆動機構３及びＺ駆動機構４を制御するための機器である。
この制御器５は、図２に示すように、ＣＰＵ５０と、ＣＰＵ５０にバス接続されたドライバ５１，ＲＯＭ５２，ＲＡＭ５３とを備え、インターフェース５４（図２中「ＩＦ」と記す）を介してＸ−Ｙ駆動機構３とＺ駆動機構４とに接続されている。
【００２２】
ドライバ５１は、フロッピィディスクや光磁気ディスクなどの記録媒体５５のデータを再生可能な駆動装置であり、このドライバ５１に使用される記録媒体５５には、ウエハ１１０の表面に存在する各凸部のデータが予め収納されている。
図３は、記録媒体５５に収納された凸部のデータを示す概略図である。
Ｎ個の凸部がウエハ１１０の表面に存在する場合には、各凸部の位置データと大きさを示す広がり及び高さデータとを予め測定して、記録媒体５５に収納しておく。
具体的には、図３の（ａ）に示すように、ｎ（≦Ｎ）番目の凸部１１１については、その位置をＸ−Ｙ座標で示す位置データＰｎと、一点鎖線で示す基準面Ｂ１に最も近い等高線の径を示す広がりデータＬｎと、凸部１１１の高さをＺ座標で示す高さデータＨｎとを、一つのレコードとして記録する。図３の（ｂ）に示すように、このようなレコードを１〜Ｎ番目の凸部１１１について記録媒体５５に記録しておく。
【００２３】
ＣＰＵ５０は、ＲＡＭ５３を介して読み取った記録媒体５５内のデータに基づいて、Ｘ−Ｙ駆動機構３を制御するＸ−Ｙ制御信号Ｃ１とＺ駆動機構４を制御するＺ制御信号Ｃ２とを、Ｘ−Ｙ駆動機構３とＺ駆動機構４とに出力する機能を有している。
このようなＣＰＵ５０の実行プログラムはＲＯＭ５２に格納されており、ＣＰＵ５０はこの実行プログラムに基づいて種々の制御を行う。
【００２４】
図４は、制御器５の制御フローチャート図である。
図４に示すように、制御器５は、Ｘ−Ｙ駆動機構３とＺ駆動機構４とを制御して、１番目〜Ｎ番目の凸部１１１を順に処理するようになっている。
具体的には、ｎ番目の凸部１１１のレコードから位置データＰｎを読み込んで（ステップＳ１，Ｓ２）、この凸部１１１が図１に示す噴射口２０ａの真下に来るように、Ｘ−Ｙ駆動機構３を高速に制御するＸ−Ｙ制御信号Ｃ１を出力する（ステップＳ３）。
そして、広がりデータＬｎを読み込み、広がりデータＬｎが基準値Ｌ０より大きいか否かを判断する（ステップＳ４）。
広がりデータＬｎが基準値Ｌ０より大きいときは、噴射口２０ａと基準面Ｂ１との距離が第１設定値Ｚ０になるように、Ｚ駆動機構４を制御するＺ制御信号Ｃ２を出力し（ステップＳ４のＹＥＳ，Ｓ５）、広がりデータＬｎが基準値Ｌ０以下のときには、噴射口２０ａと基準面Ｂ１との距離が第２設定値Ｚ０´（＜Ｚ０）になるように制御するＺ制御信号Ｃ２を出力する（ステップＳ４のＮＯ，Ｓ１１）。
なお、図５に示すように、基準値Ｌ０は、基準面Ｂ１からの噴射口２０ａの高さが第１設定値Ｚ０のときにおけるＦガスＧの拡散領域の径値であり、エッチング領域を示す。また、基準値Ｌ０´は、高さが第２設定値Ｚ０´のときにおけるＦガスＧの拡散領域の径値であり、エッチング領域を示す。これらの基準値は予め実験などで求められている。
そして、制御器５は、図４に示すように、高さデータＨｎを読み込み、高さデータＨｎにほぼ比例した滞在時間Ｔｎを演算し、当該凸部１１１をこの滞在時間Ｔｎだけ噴射口２０ａの真下に静止させておく（ステップＳ６，Ｓ７）。すなわち、凸部１１１の大きさに応じて、噴射口２０ａから噴射されるＦガスＧの噴射時間を制御すると同様の処理を行う。
ところで、噴射口２０ａが第１設定値Ｚ０の高さにある場合には、そのエッチング領域の径値は基準値Ｌ０である。したがって、図６に示すように、凸部１１１の広がりＬｎが基準値Ｌ０よりも大きいと、凸部１１１の周縁部が大きく残るおそれがある。
そこで、制御器５は、滞在時間Ｔｎ経過後に、凸部１１１をＸ軸方向及びＹ軸方向にＬ＝（Ｌｎ−Ｌ０）／２だけ揺動させるＸ−Ｙ制御信号Ｃ１を出力する（ステップＳ８）。
また、噴射口２０ａが第２設定値Ｚ０´の高さにある場合には、凸部１１１をＬ＝（Ｌｎ−Ｌ０´）／２だけ揺らすＸ−Ｙ制御信号Ｃ１を出力する。
しかる後、図４に示すように、当該ｎ番目の凸部１１１が最後の凸部１１１か否か判断する（ステップＳ９）。そして、当該凸部１１１が最後のものでない場合には、次の凸部１１１を対象として、その位置データＰｎを読み込み、Ｘ−Ｙ駆動機構３を高速制御して、次の凸部１１１を速やかに噴射口２０ａの真下に移動させ、以後、上記と同様の処理を実行する（ステップＳ９のＮＯ，Ｓ１０，Ｓ２，Ｓ３）。また、当該ｎ番目の凸部１１１が最後のものである場合には、処理を終了する（ステップＳ９のＹＥＳ）。
【００２５】
次に、この実施形態のプラズマエッチング装置が示す動作について説明する。
なお、この動作は、請求項１及び請求項２のプラズマエッチング方法を具体的に達成するものでもある。
ここでは、理解を容易にするため、図７に示すように、４個の凸部１１１−１〜１１１−４を有したシリコンウエハ１１０を平坦化する動作について説明する。
このシリコンウエハ１１０を測定したところ、凸部１１１−１〜１１１−４の各レコードは、（Ｐ１，Ｌ１，Ｈ１）、（Ｐ２，Ｌ２，Ｈ２）、（Ｐ３，Ｌ３，Ｈ３）、（Ｐ４，Ｌ４，Ｈ４）であり、Ｌ１＞Ｌ０、Ｌ２＝Ｌ０、Ｌ０＞Ｌ３＞基準値Ｌ０´、Ｌ４＝Ｌ０´であったとする。
【００２６】
まず、このようなレコードを収納した記録媒体５５を、図２に示すように、制御器５のドライバ５１にセットし、図１に示すプラズマ発生器２と制御器５とを駆動させると、ＦガスＧが口径Ｄの噴射口２０ａから１１１０側に噴射されると共に、凸部１１１−１のレコードから位置データＰ１がＣＰＵ５０に読み込まれて（図４のステップＳ１，Ｓ２）、Ｘ−Ｙ制御信号Ｃ１が制御器５からＸ−Ｙ駆動機構３に出力される。
これにより、位置データＰ１に基づいて、Ｘ−Ｙ駆動機構３がステージ３０を高速移動させ、図８の（ａ）に示すように、凸部１１１−１が噴射口２０ａの真下に来る（図４のステップＳ３）。このとき、凸部１１１−１の広がりデータＬ１が読み込まれるが、広がりデータＬ１が基準値Ｌ０より大きいので、Ｚ制御信号Ｃ２が制御器５からＺ駆動機構４に出力され、Ｚ駆動機構４によって、Ｘ−Ｙ駆動機構３とステージ３０とが一体に下降されて、噴射口２０ａと基準面Ｂ１との距離が第１設定値Ｚ０になる（図４のステップＳ４のＹＥＳ，Ｓ５）。
これにより、基準値Ｌ０の大きさのエッチング領域が確保され、凸部１１１−１がこのエッチング領域に噴射拡散されたＦガスＧによって、エッチングされる。
このとき、凸部１１１−１は、高さデータＨ１に基づいて演算された滞在時間Ｔ１だけ、噴射口２０ａの真下に静止するので（図４のステップＳ７）、ＦガスＧが凸部１１１−１に対して長時間噴射され、この結果、凸部１１１−１のエッチング領域が良好に平坦化される。
そして、凸部１１１−１の広がりデータＬ１が基準値Ｌ０より大きいことから、Ｘ−Ｙ制御信号Ｃ１が制御器５からＸ−Ｙ駆動機構３に出力されて、凸部１１１−１がＸ軸方向及びＹ軸方向に（Ｌ１−Ｌ０）／２だけ揺らされ、凸部１１１−１の周縁部がまんべんなくエッチングされる（図４のステップＳ８）。
このとき、ＦガスＧが凸部１１１−１の外側に拡散して、凸部１１１−１以外の部分をエッチングしてしまうおそれがあるが、ＦガスＧの周囲がボンベ２２−４からの水素ガスによって満たされているので、凸部１１１−１の外側に拡散したＦガスＧは、この水素ガスと反応して非活性のＨＦガスになり、凸部１１１−１外側部分のエッチングはほとんど生じない。
【００２７】
しかる後、凸部１１１−２が対象とされ、凸部１１１−２の位置データＰ２が読み込まれる（図４のステップＳ９のＮＯ，Ｓ１０，Ｓ２）。
これにより、図８の（ｂ）に示すように、凸部１１１−２が噴射口２０ａの真下に高速移動され（図４のステップＳ３）、以後、上記凸部１１１−１と同様の処理動作が実行される（ステップＳ４〜Ｓ９）。但し、Ｈ２＜Ｈ１であるので、凸部１１１−２の滞在時間Ｔ２は凸部１１１−１の滞在時間Ｔ１よりも短い。また、凸部１１１−２の広がりデータＬ２は基準値Ｌ０と等しいことから、（Ｌ２−Ｌ０）／２＝０となり、凸部１１１−２に対するＸ軸方向及びＹ軸方向への揺動は行われない。
【００２８】
次に、凸部１１１−３が対象とされて、凸部１１１−３の位置データＰ３が読み込まれ、凸部１１１−３が噴射口２０ａの真下に高速移動される（図４のステップＳ９のＮＯ，Ｓ１０，Ｓ２，Ｓ３）。
そして、凸部１１１−３の広がりデータＬ３が読み込まれ、広がりデータＬ３が基準値Ｌ０より小さいことから、図８の（ｃ）に示すように、ステージ３０が上昇され、噴射口２０ａと基準面Ｂ１との距離が第２設定値Ｚ０´に狭められる（図４のステップＳ４のＮＯ，Ｓ１１）。
これにより、基準値Ｌ０´という小さいエッチング領域が確保され、凸部１１１−３がこのエッチング領域に噴射拡散されたＦガスＧによって、エッチングされる。
以後は、上記凸部１１１−１と同様の処理動作が行われ、凸部１１１−３が、高さデータＨ３に基づいて演算された滞在時間Ｔ３（＜Ｔ２）だけ、噴射口２０ａの真下に静止された後（図４のステップＳ６，Ｓ７）、Ｘ軸方向及びＹ軸方向に（Ｌ３−Ｌ０´）／２だけ揺らされて、凸部１１１−３がまんべんなくエッチングされる（図４のステップＳ８）。
【００２９】
しかる後、凸部１１１−４が対象とされ、その位置データＰ４が読み込まれて、図８の（ｄ）に示すように、凸部１１１−４が噴射口２０ａの真下に高速移動される（図４のステップＳ９のＮＯ，Ｓ１０，Ｓ２，Ｓ３）。以後、上記凸部１１１−３と同様の処理動作が実行される（ステップＳ４，Ｓ１１〜Ｓ８）。但し、凸部１１１−４の滞在時間Ｔ４は最も短く、しかも、凸部１１１−４の広がりデータＬ４は基準値Ｌ０´と等しいことから、凸部１１１−４に対するＸ軸方向及びＹ軸方向への揺動は行われない。
そして、シリコンウエハ１１０に対する処理動作は終了する（図４のステップＳ９のＹＥＳ）。
【００３０】
このようなプラズマエッチング装置において、６インチのシリコンウエハ１１０を処理したところ、ＴＴＶ（Ｔｏｔａｌ  Ｔｈｉｃｋｎｅｓｓ  Ｖａｒｉａｔｉｏｎ）は、平均０．４８μｍから０．２５μｍに向上し、そのバラツキも標準偏差で０．０３以下であり、ウエハ平坦化の装置として十分な性能を発揮した。
【００３１】
このように、この実施形態のプラズマエッチング装置によれば、広がりデータＬｎ＞基準値Ｌ０なる大きな凸部１１１については、ステージ３０を下降させ、噴射口２０ａと凸部１１１との距離を広くすることで、大きなエッチング領域を確保し、また、広がりデータＬｎ≦基準値Ｌ０なる小さな凸部１１１については、ステージ３０を上昇させ、噴射口２０ａと凸部１１１との距離を狭くすることで、凸部１１１に対応した小さなエッチング領域を確保する構成であるので、一定口径Ｄの噴射口２０ａを有した一つのプラズマ発生器２によって、各種の大きさの凸部１１１を平坦化することができ、この結果、処理室が一つで済み、設備コストの低減化を図ることができる。また、ウエハ１１０を他の処理室に搬送する工程を省略することができるので、スループットの向上にも寄与する。
さらに、凸部１１１の高さに応じて、凸部１１１の滞在時間Ｔｎを制御する構成であるので、凸部１１１の高さに対応したＦガスＧの噴射時間を確保することができ、この結果、各種の大きさの凸部１１１を確実且つ無駄なく平坦化することができる。
また、噴射するＦガスＧの周囲が水素ガスの雰囲気になっているので、凸部１１１のみを確実にエッチングすることができる。
【００３２】
（第２の実施形態）
この実施形態に係るプラズマエッチング装置は、凸部１１１の大きさに応じて噴射口２０ａとウエハ１１０との距離を連続的に変化させることができる点が上記第１の実施形態のプラズマエッチング装置と異なる。
図９は、この実施形態における制御器５の制御フローチャート図である。
図９に示すように、１番目〜Ｎ番目の凸部１１１を順に処理する点（ステップＳ１〜Ｓ８，Ｓ２）と、ｎ番目の凸部１１１の位置データＰｎを読み込んで、当該凸部１１１を噴射口２０ａの真下に移動させる点（ステップＳ２，Ｓ３）は、上記第１の実施形態における制御と同様である。
しかし、ステップＳ４に示すように、噴射口２０ａとウエハ１１０の基準面Ｂ１（図３の（ａ）参照）との距離Ｚｎを広がりデータＬｎに対応させて制御する点が異なる。
具体的には、制御器５が当該凸部１１１の広がりデータＬｎに基づいて、Ｚｎ＝ｋ・Ｌｎ（但し、ｋは比例定数）を演算し、噴射口２０ａと基準面Ｂ１との距離がこのＺｎの値になるように、ステージ３０を昇降させるＺ制御信号Ｃ２をＺ駆動機構４に出力する。
ここで、Ｚｎは、この高さからＦガスＧを噴射したときに、ＦガスＧのエッチング領域の径値がＬｎにほぼ等しくなる値であり、実験で決定した比例定数ｋに依存する。
そして、当該凸部１１１が、上記状態で、高さデータＨｎにほぼ比例した滞在時間Ｔｎだけ、噴射口２０ａの真下に静止して、この凸部１１１のエッチングを行った後、次の凸部１１１に移る（ステップＳ５〜Ｓ７のＮＯ，Ｓ８，Ｓ２）。
【００３３】
かかる構成により、例えば、図７に示したシリコンウエハ１１０を平坦化する際には、図１０の（ａ）〜（ｄ）に示すように、各凸部１１１−１，〜，１１１−４における噴射口２０ａと基準面Ｂ１との各距離Ｚ１，〜，Ｚ４が、各凸部１１１−１，〜，１１１−４の大きさに応じて連続的に変化し、ＦガスＧが各凸部１１１−１，〜，１１１−４全体に拡散噴射されることとなる。
このため、図４のステップＳ８で示したような凸部１１１−１〜１１１−４の揺動動作を省略することができ、その分エッチング処理時間を短縮することができる。
その他の構成，作用効果は上記第１の実施形態と同様であるので、その記載は省略する。
【００３４】
（第３の実施形態）
この実施形態に係るプラズマエッチング装置は、凸部の大きさに応じてＦガスの密度を変化させることができるようにした点が上記第１及び第２のプラズマエッチング装置と異なる。
図１１は、このプラズマエッチング装置の構成図であり、図１２は、制御器５の制御フローチャート図である。
このプラズマエッチング装置は、図１１に示すように、制御器５からの密度制御信号Ｃ３に基づいて、ボンベ２２−１〜２２−３の電磁バルブ２５−１〜２５−３とマイクロ波発振器２３とを制御する噴射密度制御器６（第３の制御部）を具備している。
【００３５】
制御器５の制御において、図１２に示すように、１番目〜Ｎ番目の凸部１１１を順に処理する点（ステップＳ１〜Ｓ１１，Ｓ２）と、ｎ番目の凸部１１１の位置データＰｎを読み込んで、当該凸部１１１を噴射口２０ａの真下に移動させ、広がりデータＬｎに基づいて、噴射口２０ａと基準面Ｂ１との距離Ｚを制御する点（ステップＳ３〜Ｓ５，Ｓ１２）は、上記第１の実施形態における制御と同様である。
しかし、ステップＳ６及びＳ７に示すように、導管２０からのＦガスＧの噴射密度を当該凸部１１１の高さデータＨｎに対応させて制御する点が異なる。
具体的には、制御器５が当該凸部１１１の高さデータＨｎに基づいて、ρｎ＝ｍ・Ｈｎ（但し、ｍは比例定数）を演算し、噴射口２０ａからのＦガスＧの噴射密度をほぼこのρｎの値にする密度制御信号Ｃ３を噴射密度制御器６に出力する。
ここで、ρｎは、この密度のＦガスＧを凸部１１１に噴射すると、一定の短い滞在時間Ｔ０内に、凸部１１１を平坦化することが可能な値であり、実験で決定した比例定数ｍに依存する。
また、密度制御信号Ｃ３は、上記噴射密度ρｎのＦガスＧを生成しうる一定組成比のＳＦ６，Ｏ２，Ａｒのガス量とマイクロ波発振器２３の発振周波数とを示し、これらは予め実験でデータとして収集しておく。
そして、制御器５は、上記密度制御信号Ｃ３を噴射密度制御器６に出力し、Ｔ０時間経過後に、凸部１１１をＸ軸方向及びＹ軸方向に揺動させる制御を行った後、次の凸部１１１に移る（ステップＳ８〜Ｓ１１，Ｓ２）。
【００３６】
一方、図１１に示す噴射密度制御器６は、制御器５からの密度制御信号Ｃ３に基づいて、制御信号Ｃ４により電磁バルブ２５−１〜２５−３を制御し、制御信号Ｃ５によりマイクロ波発振器２３を制御する。
具体的には、ボンベ２２−１，２２−２，２２−３内のＳＦ６，Ｏ２，Ａｒが、密度制御信号Ｃ３が示すガス量で導管２０に供給されるように、電磁バルブ２５−１〜２５−３を開閉し、密度制御信号Ｃ３が示す発振周波数でマイクロ波を導管２０内に照射するように、マイクロ波発振器２３を制御する。
【００３７】
かかる構成により、例えば、図７に示したシリコンウエハ１１０を平坦化する際には、凸部１１１−１に対するＦガスＧの噴射密度ρ１が最も大きく、凸部１１１−２，１１１−３に対する噴射密度ρ２，ρ３が順に小さくなり、凸部１１１−４の噴射密度ρ４が最も小さくなる。
したがって、凸部１１１−１〜１１１−４を、一定の短い滞在時間Ｔ０内で、確実に平坦化することができるので、凸部の大きさに応じて凸部の滞在時間が長くなる上記第１の実施形態に比べると、エッチング処理時間が極めて短くなる。
その他の構成，作用効果は上記第１及び第２の実施形態と同様であるので、その記載は省略する。
【００３８】
なお、この発明は、上記実施形態に限定されるものではなく、発明の要旨の範囲内において種々の変形や変更が可能である。
例えば、上記第１〜第３の実施形態では、ステージ３０を上下させて、噴射口２０ａとウエハ１１０と距離を変化させる構成としたが、ステージ３０側を固定とし、プラズマ発生器２の導管２０をウエハ１１０側に移動させる構成としても良い。
また、プラズマエッチング装置の動作中は、常にＦガスＧを導管２０から噴射する構成としたが、一の凸部から次の凸部に移る間は、ＦガスＧの噴射を停止させる構成としても良い。
また、プラズマ発生部として、所定パワーのマイクロ波を導管２０内のプラズマ発生領域に照射して、活性種ガスであるＦガスＧを含んだプラズマが発生するプラズマ発生器２を適用したが、このプラズマ発生器２の代わりに、例えば、高周波を用いた誘導結合プラズマ発生器（ＩＣＰ）、容量結合プラズマ発生器、ヘリコン波を用いたプラズマ発生器、ＥＣＲなどをも本発明のプラズマ発生部として適用することができる。
また、プラズマ発生用のガスとして、ＳＦ６，Ｏ２，Ａｒの混合ガスを用いたがＳＦ６に代えて、ＣＦ４等のフルオロカーボン系ガスを用いても良い。
さらに、第３の実施形態における制御器５の制御では、図１２のステップＳ４及びＳ５，Ｓ１２において、第１の実施形態と同様に、二段階の高さ調整を行うようにしたが、第２実施形態における制御のように、高さ調整を連続的に行う（図９のステップＳ４）ようにしても良い。
【００３９】
また上記実施形態では、距離可変部として、直線導入機４０とモータ４２とで構成したＺ駆動機構４を適用したが、図１３に示すように、回転導入機４０´とモータ４２とギア機構４３の回転軸４２ａとで構成したＺ駆動機構４´を適用しても良い。
すなわち、モータ４２の回転軸４２ａの回転力を回転導入機４０´で受け、この回転導入機４０´の回転軸４０ａ´の回転を、ギア機構４３を介して軸４４の昇降運動に変換するようにしても良い。
【００４０】
【発明の効果】
以上詳しく説明したように、この発明によれば、プラズマ発生部における活性種ガスの噴射口と被エッチング物の凸部との距離を変えるだけで、各種の大きさの凸部を有した被エッチング物の平坦化処理を行うことができるので、平坦化処理作業の短時間化を図ることができる。また、このような平坦化処理を一つのプラズマ発生部で処理することができるので、処理室が一つで済み、設備コストの低減化を図ることができると共に、被エッチング物を他の処理室に搬送する工程を省略することができることから、スループットの向上にも寄与するという優れた効果がある。さらに、凸部の外側に広がった活性種ガスに水素を反応させて、凸部以外のエッチングを防止するので、平坦化処理を高精度で行うことができるという効果がある。
【図面の簡単な説明】
【図１】この発明の第１の実施形態に係るプラズマエッチング装置の構成図である。
【図２】制御器のブロック図である。
【図３】記録媒体に収納するレコードを示す概略図であり、図３の（ａ）は凸部の位置及び大きさを示し、図３の（ｂ）はレコードの収納状態を示す。
【図４】制御器の制御フローチャート図である。
【図５】噴射口の高さを示す第１及び第２設定値とエッチング領域を示す基準値との関係を示す概略側面図である。
【図６】凸部の揺動を示す概略平面図である。
【図７】シリコンウエハの一例を示す概略側面図である。
【図８】図１のプラズマエッチング装置の動作を示す概略図である。
【図９】この発明の第２の実施形態に係るプラズマエッチング装置における制御器の制御フローチャート図である。
【図１０】図９のプラズマエッチング装置の動作を示す概略図である。
【図１１】この発明の第３の実施形態に係るプラズマエッチング装置の構成図である。
【図１２】図１１のプラズマエッチング装置における制御器の制御フローチャート図である。
【図１３】Ｚ駆動機構の変形例を示す断面図である。
【図１４】従来の技術の原理を示す概略図である。
【図１５】従来の技術による平坦化処理を示す概略図である。
【図１６】従来の技術を用いて平坦化処理を短時間に行う場合の一構成例を示す概略図である。
【符号の説明】
１・・・真空容器、  ２・・・プラズマ発生器、  ３・・・Ｘ−Ｙ駆動機構、４・・・Ｚ駆動機構、  ５・・・制御器、  ２０ａ・・・噴射口、  １１０・・・ウエハ、  １１１，１１１−１〜１１１−４・・・凸部。
【図１】
0003612158.tif 000002
【図２】
0003612158.tif 000003
【図３】
0003612158.tif 000004
【図４】
0003612158.tif 000005
【図５】
0003612158.tif 000006
【図６】
0003612158.tif 000007
【図７】
0003612158.tif 000008
【図８】
0003612158.tif 000009
【図９】
0003612158.tif 000010
【図１０】
0003612158.tif 000011
【図１１】
0003612158.tif 000012
【図１２】
0003612158.tif 000013
【図１３】
0003612158.tif 000014
【図１４】
0003612158.tif 000015
【図１５】
0003612158.tif 000016
【図１６】
0003612158.tif 000017